【事件の表示】
　特願２０１１−１０４３６１「文字入力方法及び装置」拒絶査定不服審判事件〔平成２３年　８月　４日出願公開、特開２０１１−１５１８６５〕について、次のとおり審決する。
【結　論】
　本件審判の請求は、成り立たない。
【理　由】
１．手続の経緯
　本願は、平成１３年３月２日に出願された特願２００１−５８２００号の一部を、平成２３年５月９日に新たな特許出願としたもので、平成２４年９月２５日付けで拒絶理由が通知され、これに対し、平成２４年１２月３日付けで手続補正がなされたが、平成２４年１２月１４日付けで拒絶査定され、これに対し、平成２５年３月１８日に拒絶査定不服の審判が請求されたものである。
　
２．本願発明
　本願の請求項１〜２に係る発明は、平成２４年１２月３日付けの手続補正書により補正された特許請求の範囲の請求項１〜２に記載された事項により特定されるとおりのものであるところ、請求項１に係る発明（以下、「本願発明」という。）は次のとおりのものである。
「【請求項１】
　複数の文字が割り当てられているキーが押下されると、該キーの押下に対応する文字を表示し、
　前記複数の文字が割り当てられているキーの押下が解除されてから、当該キーの押下がないままタイムアップすると、タイムアップ後の次の当該キーの押下に対応する文字は、新たな文字入力として表示することを特徴とする文字入力方法。」
　
３．引用例
（引用例１）
　これに対し、原査定の拒絶の理由に引用された、本願の原出願の出願日前に頒布された刊行物である、特開平６−２０５０９５号公報（以下、「引用例１」という。）には、図面とともに、次の技術事項が記載されている。
（ア）「【特許請求の範囲】
【請求項１】  宛先番号や宛先名を表示する表示部と、前記宛先番号や宛先名を入力する操作キーを有する操作手段と、
前記操作キーにより文字を入力した後の経過時間を計測して設定時間と比較するタイマー処理手段と、
前記タイマー処理手段が計測した前記経過時間が設定時間より長いと判別した場合は、前記操作キーにより入力され前記表示部に表示された文字を確定させるよう制御する制御手段と、
前記確定した文字から成る宛先名を宛先番号と対応させて記憶する記憶手段と、
を備えたことを特徴とする文字入力機能を持つ装置。
【発明の詳細な説明】
【０００１】
【産業上の利用分野】本発明は、電話機やファクシミリ等の通信装置等に用いられ、文字入力され記憶された宛先名の宛先番号を自動的にサーチして宛先に自動発呼することができる、文字入力機能を持つ通信装置に関する。
【０００２】
【従来の技術】従来の文字入力機能を持つ装置としては、例えば特開昭６１−１９５０４７号、特公平２−５２４６９号等の各公報に掲載された通信装置がある。このような従来の文字入力機能を持つ通信装置においては、例えば図４に示すようなハンドセット一体型の電話機１０のように、宛先番号や宛先名を表示する表示部１１と共に、各種操作キー１２ａを有する操作部１２が設けられている。そして、この電話機１０の操作キー１２ａの“１”、“２”、“３”・・・、“０”の各キーには同じ順序で、“ア”、“カ”、“サ”・・・、“ワ”の五十音の各行が割り当ててある。
【０００３】これらの“１”、“２”、“３”・・・、“０”の各操作キー１２ａは、番号入力モードにおいては単に番号のみを入力するものとして機能するが、仮名文字入力モードに切換えると五十音の仮名文字を入力するものとして機能する。そしてその仮名文字入力モードにおいては、仮名文字が記憶するものとして確定する前は、例えば“１”の操作キーを押圧操作すると１回目は“ア”が表示部１１に表示されるが、２回目を押圧操作すると“イ”というように“ア”行の２段目が表示され、３回目を押圧操作すると“ア”行の３段目の“ウ”が表示されるようになっている。」（第１頁第１欄第１〜４３行）
　
（イ）「【００１３】
【実施例】以下、本発明の実施例について図面に基づいて説明する。図１および図２は、本発明による文字入力機能を持つ装置の一実施例を示す図である。
【００１４】図１において、符号１５は操作部であり、この操作部１５は前記図４に示した電話機１０と同様の構成を有する操作手段を構成するものである。操作部１５からの入力信号は操作インターフェース１６を介してシステム制御部１７（制御手段）へ出力される。符号１８は呼制御部であり、システム制御部１７により制御されて宛先への発呼動作を行う。符号２１は回線処理部であり、システム制御部１７により制御されて公衆回線による通信を可能にする。符号２２は音声処理部であり、制御部１７により制御されて宛先から受話器２４への信号を音声に変換したり、送話器２５から宛先への音声を送信信号に変換させるよう信号処理する。符号２７は記憶部（記憶手段）であり、制御部１７により制御されて操作部１５により入力された宛先番号を宛先名に対応させて記憶する。
【００１５】以上説明した部分は図１において破線で示され、これらは全体として従来の一般的電話機と同じ構成であるが、本実施例においてはさらに、タイマー処理部３０（タイマー処理手段）を新しく設けた点に特徴を有するものである。このタイマー処理部３０は、制御部１７により制御されて、操作部１５の操作キーにより文字を入力した後経過時間の計測を開始し、その経過時間を予め設定された設定時間と比較するものである。タイマー処理部３０が計測した前記経過時間が設定時間より長いと判別した場合は、操作キーにより入力されて操作部１５の表示部に表示された文字を、従来のように文字決定キーのような特別のキーをわざわざ操作しなくとも自動的に、記憶部２７に記憶すべきものとして確定するよう制御部１７により制御される。上記設定時間は操作部１５を操作することにより設定、変更することが可能となっている。
【００１６】次にこのような実施例に係る文字入力機能を持つ装置の動作について、図２および図４を用いて説明する。ここでは、前記従来例において説明した“コタニ”と“ササキ”の文字を入力する場合を例にとって説明する。」（第３頁第３欄第４７行〜同頁第４欄第３６行）
　
（ウ）「【００２１】次は“ササキ”の文字を入力する場合について説明する。まず“３”の操作キー１２ａを押圧すると、Ｓ４において行についての入力かが判断され、“３”は“サ”行なので表示部１１に“サ”が表示される（Ｓ５）。そしてこの“３”を押圧した時点からタイマを開始して（Ｓ８）設定時間以上の時間が経過すると（Ｓ９のＹＥＳ）、わざわざ文字決定キーのような操作キー１２ａを押圧しなくとも自動的に“サ”の文字が確定する（Ｓ１１）。
【００２２】次にまた“３”の操作キー１２ａを押圧すると、表示部１１の“サ”の次に同じ“サ”が表示される。そしてまたこの“３”を押圧した時点から設定時間以上の時間が経過すると自動的に“サ”の文字が確定し、表示部１１の表示は“ササ”となる。
【００２３】それから次に“２”を押圧すると、“ササ”の次に“カ”が表示される。そしてこの“２”を押圧した時点から設定時間以内にまた“２”を押圧すると、前記“カ”の表示が“キ”に変化して表示部１１の表示は“ササキ”となる。そしてこの２回目の“２”を押圧した時点から設定時間以上の時間が経過すると前記“キ”の文字が自動的に確定する。
【００２４】それからどの操作キー１２ａも押圧せずに、前記“キ”の文字確定の時点からさらに設定時間以上の時間が経過すると、わざわざ単語決定キーのような操作キー１２ａを押圧しなくとも“ササキ”の単語が自動的に確定され、仮名文字入力モードから抜ける。
【００２５】以上のように上記実施例においては、従来のように文字の確定のために文字決定キーを、或は単語の確定のために単語決定キーを押圧する必要がなくなるため、“コタニ”では計７回、“ササキ”では計４回のキー入力で済む。このように従来の文字入力機能を持つ装置に比べてキー入力の回数を少なくすることができるため、従来より使い易い文字入力機能を持つ装置を提供することができる。」（第４頁第５欄第３３行〜同頁第６欄第１６行）
　
　上記引用例１記載事項及び図面を総合勘案すると、引用例１には、次の発明（以下、「引用発明１」という。）が記載されているものと認められる。
　
　「操作部の操作キーの“１”、“２”、“３”・・・、“０”の各キーに、同じ順序で、“ア”、“カ”、“サ”・・・、“ワ”の五十音の各行が割り当ててある、文字入力機能を持つ装置において、タイマー処理部（タイマー処理手段）を設け、このタイマー処理部は、制御部により制御されて、操作部の操作キーにより文字を入力した後経過時間の計測を開始し、その経過時間を予め設定された設定時間と比較するものであり、
　タイマー処理部が計測した前記経過時間が設定時間より長いと判別した場合は、操作キーにより入力されて操作部の表示部に表示された文字を、従来のように文字決定キーのような特別のキーをわざわざ操作しなくとも自動的に、記憶部に記憶すべきものとして確定するよう制御部により制御され、上記設定時間は操作部を操作することにより設定、変更することが可能となっており、
　“ササキ”の文字を入力する場合では、まず“３”の操作キーを押圧すると、“３”は“サ”行なので表示部に“サ”が表示され、そしてこの“３”を押圧した時点からタイマを開始して設定時間以上の時間が経過すると、わざわざ文字決定キーのような操作キーを押圧しなくとも自動的に“サ”の文字が確定し、次にまた“３”の操作キーを押圧すると、表示部１１の“サ”の次に同じ“サ”が表示され、そしてまたこの“３”を押圧した時点から設定時間以上の時間が経過すると自動的に“サ”の文字が確定し、表示部１１の表示は“ササ”となり、それから次に“２”を押圧すると、“ササ”の次に“カ”が表示され、そしてこの“２”を押圧した時点から設定時間以内にまた“２”を押圧すると、前記“カ”の表示が“キ”に変化して表示部１１の表示は“ササキ”となり、そしてこの２回目の“２”を押圧した時点から設定時間以上の時間が経過すると前記“キ”の文字が自動的に確定する、
　文字入力機能を持つ装置。」
　
（引用例２）
　原査定の拒絶の理由に引用された、本願の原出願の出願前に頒布された刊行物である、特開平９−２９４１７０号公報（以下、「引用例２」という。）には、図面とともに、次の技術事項が記載されている。
（エ）「【請求項７】  選択文字の切り替えを行うキーを押下することにより文字群中の特定文字を選択し、前記キーを一定時間離すことにより入力が確定することを特徴とする請求項６記載の移動通信端末。」（第２頁第１欄第４４〜４７行）
　
（オ）「【００２８】実施の形態３．実施の形態１および実施の形態２では、文字を選択し確定する手段として文字群を選択した後、ガイダンスに表示された選択番号を入力する方法を採用しているが、本実施の形態では図７に示すようにガイダンス中に現在選択されている文字をカーソル表示１６によりマーキングして表示し、カーソル横移動キー＞／＜でマーキングを移動させることにより文字の選択を行い、一定時間キーの押下がない場合に文字を確定する。」（第４頁第６欄第３２〜４０行）
　
（引用例３）
　本願の原出願の出願前に頒布された刊行物である、特開２０００−３０５９２４号公報（以下、「引用例３」という。）には、次の技術事項が記載されている。
（カ）「【００１６】現代の電気商品には殆どタイマが付いている。例えば、携帯電話の内蔵タイマは現在の時間の表示とか、通話時間の計算にも用いられる。また、携帯電話内の文字入力装置も入力の補助ツールとしてこのタイマを利用している。数字キーにより文字を入力するものはだいたい数個の文字や記号を一つのキーに指定するものなので、使用者が一つのキーを押した後、0.5秒以上他のキーを押さないと、タイマは使用者が一つの文字か記号を入力し終えたと判断して、システムに通知する。システムは使用者の入力したキー信号及びキー操作数により使用者の所望の文字、または記号はどれかを判断する。例えば、電話機には“２”に“a、ｂ、ｃ”を指定すれば、使用者が数字キーの“２”を押してから、0.5秒を止めたら、システムは使用者が文字“ａ”を入力したいのを知る。使用者が数字キーの“２”を二回で押してから、0.5秒を止めたら、システムは使用者が文字“b”を入力したいのを知る。もし、使用者が数字キーの“２”を四回で押してから、0.5秒を止めると、システムは繰り返すようになったと判定し、使用者が文字“ａ”を入力したいのを知る。」（第５頁第８欄第３〜２３行）
　
（引用例４）
　本願の原出願の出願前に、電気通信回線を通じて公衆に利用可能となった、ケータイウーマン的調査報告、カラー液晶ディスプレイを普及させたスタンダードなケータイ、デジタルムーバ D502i HYPER、＜ＵＲＬ：http://k.vitalbit.com/woman/keitai/d502i.html＞（以下、「引用例４」という。なお、同サイトは現在利用できないので、２００１年１月２９日にアーカイブされた、インターネットアーカイブ、＜ＵＲＬ： https://web.archive.org/web/20010129082200/http://k.vitalbit.com/woman/keitai/d502i.html＞参照。）には、次の技術事項が記載されている。
（キ）「◆なぜ、「あい」「かき」が続けて打てないの？
　F502iや、J-Phoneなどでは問題なくできる、文字入力時、文字を選択してしばらくすると自動的に「確定」する機能がないのは、大変不便だ。具体的に言うと、「あ」を打ったあと、「確定キー」を押さないと、次の「い」が入力できないのだ。普通、F502iやJ-SH03とかは、「あ」を打った後、しばらくすると自然に「あ」が確定し、スムーズに「い」が打てるので、一手間ラク。これはぜひ、メーカーさんに検討していただき、改善して欲しいことの一つだ。」
　
４．対比・判断
　本願発明と引用発明１とを比較する。
　引用発明１における「操作部の操作キーの“１”、“２”、“３”・・・、“０”の各キー」は、「同じ順序で、“ア”、“カ”、“サ”・・・、“ワ”の五十音の各行が割り当ててある」から、本願発明の「複数の文字が割り当てられているキー」に相当する。
　次に、引用発明１において、「“３”の操作キーを押圧すると、“３”は“サ”行なので表示部に“サ”が表示され」、「次にまた“３”の操作キーを押圧すると、表示部１１の“サ”の次に同じ“サ”が表示され」、「それから次に“２”を押圧すると、“ササ”の次に“カ”が表示され」、「また“２”を押圧すると、前記“カ”の表示が“キ”に変化して表示部１１の表示は“ササキ”とな」ることが、本願発明の「複数の文字が割り当てられているキーが押下されると、該キーの押下に対応する文字を表示」することに相当する。
　次に、引用発明１において「“３”を押圧した時点からタイマを開始して設定時間以上の時間が経過する」こと、「そしてまたこの“３”を押圧した時点から設定時間以上の時間が経過する」こと、及び「そしてこの２回目の“２”を押圧した時点から設定時間以上の時間が経過する」ことと、本願発明の「前記複数の文字が割り当てられているキーの押下が解除されてから、当該キーの押下がないままタイムアップする」こととは、「前記複数の文字が割り当てられているキーを押下後、当該キーの新たな押下がないままタイムアップする」点で共通する。
　次に、引用発明１において、「タイマを開始して設定時間以上の時間が経過すると、わざわざ文字決定キーのような操作キーを押圧しなくとも自動的に“サ”の文字が確定し、次にまた“３”の操作キーを押圧すると、表示部１１の“サ”の次に同じ“サ”が表示され」ることと、本願発明の「当該キーの押下がないままタイムアップすると、タイムアップ後の次の当該キーの押下に対応する文字は、新たな文字入力として表示する」こととは、「当該キーの新たな押下がないままタイムアップすると、タイムアップ後の次の当該キーの押下に対応する文字は、新たな文字入力として表示する」点で共通する。
　次に、引用発明１における「文字入力機能」を用いた文字入力の方法が、以下の相違点は除いて、本願発明の「文字入力方法」に相当する。
　
　すると、本願発明と引用発明１とは、次の点で一致する。
　
（一致点）
　「複数の文字が割り当てられているキーが押下されると、該キーの押下に対応する文字を表示し、
　前記複数の文字が割り当てられているキーを押下後、当該キーの新たな押下がないままタイムアップすると、タイムアップ後の次の当該キーの押下に対応する文字は、新たな文字入力として表示することを特徴とする文字入力方法。」
　
　また、両者は次の点で相違する。
＜相違点＞
　本願発明では、「キーの押下が解除されてから、当該キーの押下がないままタイムアップ」したか否かを判断しているのに対し、引用発明１では、「操作キー」を「押圧した時点からタイマを開始して設定時間以上の時間が経過」したか否かを判断している点。
　
　そこで、上記相違点について検討すると、例えば引用例２〜４に、「キーを一定時間離すことにより入力が確定する」（引用例２）、「文字の選択を行い、一定時間キーの押下がない場合に文字を確定する。」（引用例２）、「使用者が一つのキーを押した後、0.5秒以上他のキーを押さないと、タイマは使用者が一つの文字か記号を入力し終えたと判断」（引用例３）、「使用者が数字キーの“２”を二回で押してから、0.5秒を止めたら、システムは使用者が文字“b”を入力したいのを知る。」（引用例３）、「文字入力時、文字を選択してしばらくすると自動的に「確定」する」（引用例４）、「「あ」を打った後、しばらくすると自然に「あ」が確定」（引用例４）と記載されているように、キー操作のなされていない時間が一定時間以上となったときに、選択された入力文字を確定することは、文字入力における周知技術である。
　そして、キー操作のなされていない時間が一定時間以上か否かを判断する際、先に押下されたキーの「押下が解除され」てからの時間を用いることも、常識的な事項である。
　よって、引用発明１に、文字入力における上記周知技術及び常識的な事項を適用し、引用発明１において「操作キー」の押下が解除されてから設定時間以上の時間が経過したか否かを判断するようにして、上記相違点に係る本願発明の構成とすることは、当業者が容易になし得たことである。
　
　また、本願発明の作用効果も、引用発明１、周知技術及び常識的な事項から予測し得たものである。
　
　したがって、本願の請求項１に係る発明は、引用例１に記載された発明、周知技術及び常識的な事項に基づいて、当業者が容易に発明をすることができたものである。
　
５．まとめ
　以上のとおり、本願の請求項１に係る発明は、特許法第２９条第２項の規定により、特許を受けることができないものである。
　したがって、その余の請求項について論及するまでもなく、本願は拒絶すべきものである。
　よって、結論のとおり審決する。